(57)【要約】【課題】レンズ鏡筒から容易に取り外すことができるフィルターアダプタ、及びレンズフィルターを提供する。【解決手段】本発明は、レンズ鏡筒に取付可能な第１環状部材（２）と、この第１環状部材に対して回転可能に連結された、レンズフィルターを取付可能な第２環状部材（４）と、を有するフィルターアダプタ（１）において、第２環状部材を第１環状部材に対して３６０゜よりも大きい回転角回転させると、第２環状部材の第１環状部材に対する回転が阻止されるように構成されたことを特徴としている。【選択図】      図１
2004264535.tif 000002
【特許請求の範囲】
【請求項１】
レンズ鏡筒に取付可能な第１環状部材と、
この第１環状部材に対して回転可能に連結された、レンズフィルターを取付可能な第２環状部材と、を有するフィルターアダプタにおいて、
前記第２環状部材を前記第１環状部材に対して３６０゜よりも大きい回転角で回転させると、前記第２環状部材の前記第１環状部材に対する回転が阻止されるように構成されたことを特徴とするフィルターアダプタ。
【請求項２】
レンズ鏡筒又はレンズフィルターの何れか一方に取付けるようになった、円周上に係合突起を備えた第１環状部材と、
前記第１環状部材に対して回転可能に連結され、レンズ鏡筒又はレンズフィルターの何れか他方に取付けるようになった第２環状部材と、
前記第２環状部材の円周上に支持され、第１位置と第２位置との間で移動可能な少なくとも１つの移動係合部材と、を有し、
前記移動係合部材が前記第１位置にあり、前記係合突起を第１の方向に、前記移動係合部材を通過させようとする場合には、前記係合突起と前記移動係合部材が係合して前記第１環状部材に対する前記第２環状部材の回転が阻止され、
前記移動係合部材が前記第２位置にあり、前記係合突起を前記第１の方向に、前記移動係合部材を通過させようとする場合には、前記係合突起の通過が許容され、前記移動係合部材は前記第１位置に移動され、
前記移動係合部材が前記第２位置にあり、前記係合突起を第２の方向に、前記移動係合部材を通過させようとする場合には、前記係合突起と前記移動係合部材が係合して前記第１環状部材に対する前記第２環状部材の回転が阻止され、
前記移動係合部材が前記第１位置にあり、前記係合突起を前記第２の方向に、前記移動係合部材を通過させようとする場合には、前記係合突起の通過が許容され、前記移動係合部材は前記第２位置に移動されることを特徴とするフィルターアダプタ。
【請求項３】
前記移動係合部材が、前記第２環状部材の円周上に設けられた支軸を中心に回動可能に支持され、前記第１位置は、前記移動係合部材の回動可能範囲の一方の終点であり、前記第２位置は、前記移動係合部材の回動可能範囲の他方の終点であることを特徴とする請求項２記載のフィルターアダプタ。
【請求項４】
前記移動係合部材が、前記第１位置又は前記第２位置から偶発的に移動することがないように、移動止め機構を有することを特徴とする請求項２又は請求項３に記載のフィルターアダプタ。
【請求項５】
前記第１環状部材又は前記第２環状部材のうちの、レンズフィルターを取付ける方の環状部材に、レンズフードを取付けるフード取付け部が形成されていることを特徴とする請求項１乃至請求項４の何れか１項に記載のフィルターアダプタ。
【請求項６】
レンズ鏡筒に取付けるようになった第１環状部材と、
前記第１環状部材に対して回転可能に連結され、フィルターが取付けられた第２環状部材と、
前記第１環状部材又は前記第２環状部材の何れか一方の円周上に、第１位置と第２位置との間で移動可能に支持された少なくとも１つの移動係合部材と、
前記第１環状部材又は前記第２環状部材の何れか他方の円周上に設けられた係合突起と、を有し、
前記移動係合部材が前記第１位置にあり、前記係合突起を第１の方向に、前記移動係合部材を通過させようとする場合には、前記係合突起と前記移動係合部材が係合して前記第１環状部材に対する前記第２環状部材の回転が阻止され、
前記移動係合部材が前記第２位置にあり、前記係合突起を前記第１の方向に、前記移動係合部材を通過させようとする場合には、前記係合突起の通過が許容され、前記移動係合部材は前記第１位置に移動され、
前記移動係合部材が前記第２位置にあり、前記係合突起を第２の方向に、前記移動係合部材を通過させようとする場合には、前記係合突起と前記移動係合部材が係合して前記第１環状部材に対する前記第２環状部材の回転が阻止され、
前記移動係合部材が前記第１位置にあり、前記係合突起を前記第２の方向に、前記移動係合部材を通過させようとする場合には、前記係合突起の通過が許容され、前記移動係合部材は前記第２位置に移動されることを特徴とするレンズフィルター。
【請求項７】
レンズ鏡筒と、
このレンズ鏡筒に対して回転可能に連結され、フィルターを取付けることができるようになった環状部材と、
前記レンズ鏡筒又は前記環状部材の何れか一方の円周上に、第１位置と第２位置との間で移動可能に支持された少なくとも１つの移動係合部材と、
前記レンズ鏡筒又は前記環状部材の何れか他方の円周上に設けられた係合突起と、を有し、
前記移動係合部材が前記第１位置にあり、前記係合突起を第１の方向に、前記移動係合部材を通過させようとする場合には、前記係合突起と前記移動係合部材が係合して前記第１環状部材に対する前記第２環状部材の回転が阻止され、
前記移動係合部材が前記第２位置にあり、前記係合突起を前記第１の方向に、前記移動係合部材を通過させようとする場合には、前記係合突起の通過が許容され、前記移動係合部材は前記第１位置に移動され、
前記移動係合部材が前記第２位置にあり、前記係合突起を第２の方向に、前記移動係合部材を通過させようとする場合には、前記係合突起と前記移動係合部材が係合して前記第１環状部材に対する前記第２環状部材の回転が阻止され、
前記移動係合部材が前記第１位置にあり、前記係合突起を前記第２の方向に、前記移動係合部材を通過させようとする場合には、前記係合突起の通過が許容され、前記移動係合部材は前記第２位置に移動されることを特徴とするレンズユニット。
【請求項８】
第１環状部材と、
前記第１環状部材に対して回転可能に連結された第２環状部材と、
前記第１環状部材又は前記第２環状部材の何れか一方の円周上に、第１位置と第２位置との間で移動可能に支持された少なくとも１つの移動係合部材と、
前記第１環状部材又は前記第２環状部材の何れか他方の円周上に設けられた係合突起と、を有し、
前記移動係合部材が前記第１位置にあり、前記係合突起を第１の方向に、前記移動係合部材を通過させようとする場合には、前記係合突起と前記移動係合部材が係合して前記第１環状部材に対する前記第２環状部材の回転が阻止され、
前記移動係合部材が前記第２位置にあり、前記係合突起を前記第１の方向に、前記移動係合部材を通過させようとする場合には、前記係合突起の通過が許容され、前記移動係合部材は前記第１位置に移動され、
前記移動係合部材が前記第２位置にあり、前記係合突起を第２の方向に、前記移動係合部材を通過させようとする場合には、前記係合突起と前記移動係合部材が係合して前記第１環状部材に対する前記第２環状部材の回転が阻止され、
前記移動係合部材が前記第１位置にあり、前記係合突起を前記第２の方向に、前記移動係合部材を通過させようとする場合には、前記係合突起の通過が許容され、前記移動係合部材は前記第２位置に移動されることを特徴とする回り止め機構。
【発明の詳細な説明】
【０００１】
【発明の属する技術分野】
本発明は、回り止め機構、及びそれを備えたフィルターアダプタ、レンズフィルター、レンズユニット、に係わる。
【０００２】
【従来の技術】
カメラ等の撮像レンズに取付ける偏光フィルターやクロスフィルター等のレンズフィルターは、レンズ鏡筒に螺合させることによってレンズに取付け、撮影時にフィルターを所望の方向に回転させて使用する。このようなレンズフィルターは、一般に、レンズ鏡筒に螺合させるようになった第１の環状部材と、この第１の環状部材に回転可能に連結され、フィルターグラスが取付けられた第２の環状部材とを有する。また、第１の環状部材と第２の環状部材との間の相対的な回転には回り止めがなく、第２の環状部材は第１の環状部材に対して何回転でも回転させることができる。
【０００３】
一方、特許文献１には、フィルタ操作機構付カメラ及びレンズが記載されている。このフィルタ操作機構によれば、レンズにレンズフードを付けた状態においても、レンズ鏡筒の先端に取付けたレンズフィルタを回転させることができる。
【０００４】
【特許文献１】
特開２００１−３４３６７８号公報
【０００５】
【発明が解決しようとする課題】
このような回転式のレンズフィルターをレンズ鏡筒に取付ける場合、レンズフィルターをレンズ鏡筒にしっかりと螺合させなければ、フィルターを回転させる際にレンズフィルターがレンズ鏡筒から脱落するという事故のもとになる。しかしながら、レンズフィルターをレンズ鏡筒に螺合させる力が強すぎると、フィルターを使用し終わった後でレンズフィルターがレンズ鏡筒から外せなくなるという故障の原因となる。実際、このような故障によって、カメラや交換レンズがカメラメーカーや販売店に持ち込まれることも多い。特に、レンズフィルターは一般に薄型の円盤状であり、レンズフィルターをレンズ鏡筒から外すためには、レンズフィルターを構成する２つの環状部材のうちのレンズ鏡筒に螺合されている方の環状部材に回転力を加えなければならないので、非常に力を加えにくいという問題がある。
【０００６】
このような問題は、レンズフィルターを構成する２つの環状部材の間の相対的な回転を制限する機構を設けることによって解決することができる。即ち、２つの環状部材の間の相対的な回転が阻止されれば、２つの環状部材の両方に力を加えることができるからである。しかしながら、単純に、２つの環状部材の円周上に回転を阻止するための突起等を設けたとすると、２つの環状部材の間の相対的な回転は３６０゜以下に制限されてしまうので、レンズフィルターの操作性が悪くなるという問題がある。
【０００７】
また、一般に、回転式のレンズフィルターは、レンズ鏡筒にレンズフードを装着すると、レンズフードが邪魔になってフィルターを回転操作することができないという問題がある。
【０００８】
従って、本発明は、レンズ鏡筒から容易に取り外すことができるフィルターアダプタ、及びレンズフィルターを提供することを目的としている。
また、本発明は、取付けたフィルターを回転させることができ、フィルターを容易に取り外すことができるレンズユニットを提供することを目的としている。
さらに、本発明は、３６０゜よりも大きな角度回転させることができる、回り止め機構を提供することを目的としている。
【０００９】
【課題を解決するための手段】
上述した課題を解決するために、本発明は、レンズ鏡筒に取付可能な第１環状部材と、この第１環状部材に対して回転可能に連結された、レンズフィルターを取付可能な第２環状部材と、を有するフィルターアダプタにおいて、第２環状部材を第１環状部材に対して３６０゜よりも大きい回転角で回転させると、第２環状部材の第１環状部材に対する回転が阻止されるように構成されたことを特徴としている。
【００１０】
このように構成された本発明のフィルターアダプタにおいては、第１環状部材をレンズ鏡筒に取付け、レンズフィルターを第２環状部材に取付ける。この状態で、第２環状部材を第１環状部材に対して回転させることによって、レンズフィルターをレンズ鏡筒に対して回転させる。
【００１１】
このように構成された本発明のフィルターアダプタによれば、第２環状部材の第１環状部材に対する回転が阻止されるので、フィルターアダプタに取付けたレンズフィルター、及び、レンズ鏡筒に取付けたフィルターアダプタを容易に取り外すことができる。また、第２環状部材を第１環状部材に対して３６０゜よりも大きい回転角回転させることができるので、レンズフィルターを回転させる操作性が損なわれることがない。
【００１２】
また、本発明のフィルターアダプタは、レンズ鏡筒又はレンズフィルターの何れか一方に取付けるようになった、円周上に係合突起を備えた第１環状部材と、第１環状部材に対して回転可能に連結され、レンズ鏡筒又はレンズフィルターの何れか他方に取付けるようになった第２環状部材と、第２環状部材の円周上に支持され、第１位置と第２位置との間で移動可能な少なくとも１つの移動係合部材と、を有し、移動係合部材が第１位置にあり、係合突起を第１の方向に、移動係合部材を通過させようとする場合には、係合突起と移動係合部材が係合して第１環状部材に対する第２環状部材の回転が阻止され、移動係合部材が第２位置にあり、係合突起を第１の方向に、移動係合部材を通過させようとする場合には、係合突起の通過が許容され、移動係合部材は第１位置に移動され、移動係合部材が第２位置にあり、係合突起を第２の方向に、移動係合部材を通過させようとする場合には、係合突起と移動係合部材が係合して第１環状部材に対する第２環状部材の回転が阻止され、移動係合部材が第１位置にあり、係合突起を第２の方向に、移動係合部材を通過させようとする場合には、係合突起の通過が許容され、移動係合部材は第２位置に移動されることを特徴としている。
【００１３】
このように構成された本発明においては、レンズ鏡筒又はレンズフィルターの何れか一方に取付けるようになった第２環状部材は第１位置及び第２位置をとることができる移動係合部材を支持しており、レンズ鏡筒又はレンズフィルターの何れか他方に取付けるようになった第１環状部材は係合突起を有している。係合突起及び移動係合部材は、夫々、第１環状部材、第２環状部材の円周上に配置されているので、第１環状部材と第２環状部材が相対的に回転すると、移動係合部材と係合突起が円周上で対峙する。移動係合部材が第１位置にあり、係合突起が第１の方向に移動しながら移動係合部材と出会うと、係合突起の移動は移動係合部材によって阻止される。移動係合部材が第２位置にあり、係合突起が第１の方向に移動しながら移動係合部材と出会った場合には、係合突起は移動係合部材を通過することができ、また、この際、移動係合部材が第１位置に移動される。従って、移動係合部材を通過した係合突起がさらに第１の方向に移動して再び移動係合部材に出会うと、今度は、移動係合部材が第１位置にあるので、係合突起の移動は阻止される。結局、第２環状部材は第１環状部材に対して第１の方向に３６０゜よりも大きい角度回転した後、回転が阻止される。同様に、第２環状部材は第１環状部材に対して、第２の方向にも３６０゜よりも大きい角度回転した後、回転が阻止される。
【００１４】
さらに、移動係合部材を、第２環状部材の円周上に設けられた支軸を中心に回動可能に支持し、第１位置は、移動係合部材の回動可能範囲の一方の終点であり、第２位置は、移動係合部材の回動可能範囲の他方の終点であるのが良い。
【００１５】
このように構成された本発明においては、移動係合部材は、支軸を中心に回動することによって第１位置及び第２位置をとり、第２環状部材の所定方向の回転を、阻止したり、許容したりする。
【００１６】
また、移動係合部材は、第１位置又は第２位置から偶発的に移動することがないように、移動止め機構を有しているのが良い。
このように構成された本発明においては、フィルターアダプタの作動をより確実にすることができる。
【００１７】
さらに、第１環状部材又は第２環状部材のうちの、レンズフィルターを取付ける方の環状部材に、レンズフードを取付けるフード取付け部を形成することができる。
【００１８】
このように構成された本発明においては、バヨネット式等の、回転させることによって取付けるレンズフードを容易に取付け、取り外しすることができる。また、この構成は、レンズフード収納時に、レンズフードをレンズ鏡筒に向けて取付けたときに特に有用である。
【００１９】
また、上述した本発明のフィルターアダプタをフィルターと一体に構成して、レンズフィルターを構成することができる。さらに、本発明のフィルターアダプタをレンズ鏡筒と一体に構成して、フィルター回転機構が付いたレンズユニットを構成することもできる。また、本発明のフィルターアダプタの機構を、任意の機器の回り止め機構として利用することができる。
【００２０】
【発明の実施の形態】
次に、添付図面を参照して、本発明の実施形態によるフィルターアダプタを説明する。図１は本発明の実施形態によるフィルターアダプタの全断面を示し、図２は図１のＩＩ−ＩＩ断面を示し、図３は図２のＩＩＩ−ＩＩＩ断面を示し、図４は図２のＩＶ−ＩＶ断面を示す。
【００２１】
図１乃至４に示すように、本実施形態のフィルターアダプタ１は、レンズ鏡筒（図示せず）に取付けることができるようになった第１環状部材２と、この第１環状部材２に回転可能に連結された第２環状部材４と、を有する。本実施形態においては、第２環状部材４は、フィルターを取付けるようになった外リング部材６と、第１環状部材２の内側に嵌まり込む内リング部材８から構成されている。
【００２２】
また、内リング部材８には、第１環状部材２と第２環状部材４とを連結するための３枚のプレート１０が、夫々２本のビス１２によって固定されている。さらに、内リング部材８の円周上には、内リング部材８の中心軸線と平行な方向に延びる支軸１６と、支軸１６によって回動可能に支持されたプレート状の移動係合部材１４が取付けられている。また、内リング部材８の円周上には、移動係合部材１４を適所に位置決めするために支軸１６の両側に配置されたボール１８、及びボールを移動係合部材１４に押付けるスプリング２０が組み込まれている。
【００２３】
図４に示すように、第１環状部材２の端部の外周には、レンズ鏡筒（図示せず）と螺合させるための雄ネジ２ａが形成されている。さらに、第１環状部材２の内周には、３枚のプレート１０を受け入れるための円周方向の溝２ｂが形成されている。また内リング部材８には、プレート１０を通すための円周方向スリット８ａが、内リング部材８の円周上の３箇所に、等間隔に形成されている。第１環状部材２を内リング部材８の外側に被せた後、プレート１０が円周方向スリット８ａを通って溝２ｂに受け入れられるようにプレート１０を位置決めし、ビス１２によって内リング部材８に固定する。これにより、第１環状部材２と内リング部材８が回転可能に連結される。外リング部材６が、内リング部材８の外側に被せられ、外リング部材６と内リング部材８が３本のビス（図示せず）によって固定される。適用によっては、外リング部材６と内リング部材８を一体に成形しても良い。また、外リング部材６の端部の外周には、レンズフードを着脱可能に取付けるためのフード取付け部であるバヨネット用の突起６ａが円周方向に形成されている。また、外リング部材６の端部の内周には、レンズフィルタを螺合させるための雌ネジ６ｂが形成されている。
【００２４】
図２及び図３に示すように、内リング部材８には、プレート状の移動係合部材１４を中に配置するためのスリット８ｂが形成されている。移動係合部材１４は、概ね長方形のプレート状であり、その中央には支軸１６を受け入れるための穴が設けられ、その両端部１４ａ、１４ｂは内リング部材８の半径方向外方に向って張り出している。また、移動係合部材１４は、スリット８ｂの中で、支軸１６を中心に回動することができるように支持されている。移動係合部材１４は、移動係合部材１４の一方の端部１４ａが外リング部材６に当接する第１位置から、移動係合部材１４の他方の端部１４ｂが外リング部材６に当接する第２位置まで、支軸１６を中心に回動することができる。内リング部材８の支軸１６の両側には、スリット８ｂと連通するように、内リング部材８の中心軸線と平行な方向の丸穴８ｃが夫々形成されている（図３に１つだけ図示）。各丸穴８ｃの中には、ボール１８及びスプリング２０が配置され、ボール１８はスプリング２０によって移動係合部材１４に押付けられている。移動係合部材１４の両端の部分には、ボール１８を受け入れるための穴１４ｃ、１４ｄが夫々形成されている。穴１４ｄは、移動係合部材１４が第１位置にあるとき、ボール１８が落ち込むように位置決めされ、穴１４ｃは、移動係合部材１４が第２位置にあるとき、ボール１８が落ち込むように位置決めされている。ボール１８、スプリング２０及び穴１４ｃ、１４ｄは、移動係合部材１４の移動止め機構を構成する。この移動止め機構により、第１位置又は第２位置にある移動係合部材１４が偶発的に移動してしまうのを防止する。
【００２５】
図２に示すように、第１環状部材２の円周上には、第１位置又は第２位置にある移動係合部材１４と係合する係合突起２２が、第１環状部材の中心軸線と平行な方向に延びるように形成されている。係合突起２２及び移動係合部材１４の形状は、移動係合部材１４が第１位置にあり、第１環状部材２と第２環状部材４が相対的に回転して、係合突起２２が第１の方向に移動係合部材１４に近づいたとき、即ち、端部１４ａの側から移動係合部材１４に近づいたとき、係合突起２２と端部１４ａが係合して第１環状部材２と第２環状部材４の回転を阻止するような形状にされている。また、係合突起２２及び移動係合部材１４の形状は、移動係合部材１４が第１位置にあり、係合突起２２が第２の方向に移動係合部材１４に近づいたとき、即ち、端部１４ｂの側から移動係合部材１４に近づいたとき、係合突起２２が移動係合部材１４を押して第２位置に移動させながら、移動係合部材１４を通過することができるような形状にされている。さらに、移動係合部材１４が第２位置にある場合にも同様に作用するように、係合突起２２及び移動係合部材１４の形状は左右対称になっている。
【００２６】
次に、図５を参照して、本発明の実施形態によるフィルターアダプタ１の作用を説明する。
まず、第１環状部材２に形成された雄ネジ２ａをレンズ鏡筒（図示せず）に螺合させることによって、本実施形態のフィルターアダプタ１をレンズ鏡筒に取付ける。次いで、第２環状部材４の外リング部材６に形成された雌ネジ６ｂに、偏光フィルター等のレンズフィルター（図示せず）を螺合させる。さらに、必要に応じて、外リング部材６のバヨネット用の突起６ａにレンズフード（図示せず）を取付ける。
【００２７】
次に、第２環状部材４又は取付けたレンズフード（図示せず）に回転力を加えることによって、必要に応じて第１環状部材２と第２環状部材４を相対的に回転させ、レンズフィルターを回転させる。ここで、図５に示すように、例えば、移動係合部材１４が実線で示す第１位置にあり、第１環状部材２と第２環状部材４を相対的に回転させて、係合突起２２を図中の矢印Ａの方向に移動させた場合について説明する。移動係合部材１４の第１位置では、移動係合部材１４に押付けられている一方のボール１８が移動係合部材１４に設けられた穴１４ｄに落ち込み、他方のボール１８は移動係合部材１４に設けられたもう一つの穴１４ｃの外に位置している。
【００２８】
この状態から、係合突起２２を矢印Ａの方向に移動させたとすると、係合突起２２がほぼ１周移動して破線で示す２２’の位置に来るまでは、係合突起２２を当然、移動させることができる。さらに、移動係合部材１４は実線で示す第１位置にあるので、係合突起２２は、破線で示す２２’’の位置まで移動させることができる。係合突起２２をさらに矢印Ａの方向に移動させると、係合突起２２が移動係合部材１４を押して、移動係合部材１４を回動させ、移動係合部材１４を破線で示す第２位置に移動させる。このとき、移動係合部材１４の穴１４ｄに落とし込まれていたボール１８は穴１４ｄの外に出て、一方、穴１４ｃの外に位置していた方のボール１８は穴１４ｃの中に落ち込む。移動係合部材１４が破線で示す第２位置に移動したので、係合突起２２はさらに矢印Ａの方向に移動することができる。係合突起２２が、さらに矢印Ａの方向にほぼ１周移動して、係合突起２２が２２’の位置まで移動すると、今度は、移動係合部材１４は破線で示す第２位置にあるので、係合突起２２は移動係合部材１４によって移動を阻止される。このため、これ以上、矢印Ａの方向に第１環状部材２と第２環状部材４を相対的に回転させることはできない。結局、係合突起２２は、初期位置から矢印Ａの方向に約２周移動することができ、これにより、第１環状部材２と第２環状部材４は初期位置から相対的に約２回転した位置で回転を阻止される。
【００２９】
同様に、移動係合部材１４が破線で示す第２位置にあり、係合突起２２が２２’の位置にある状態から、矢印Ｂの方向に係合突起２２を移動させた場合には、係合突起２２は、約２周移動した後、第１位置にある移動係合部材１４によって移動を阻止される。
【００３０】
最後に、装着したレンズフィルター（図示せず）をフィルターアダプタ１から取り外すときは、フィルターアダプタ１の第２環状部材４と螺合しているレンズフィルターに、単に回転力を加えるだけで良い。即ち、レンズフィルターを回転させ始めたときは、フィルターアダプタ１の第２環状部材４はレンズフィルターと共に回転してしまうが、第２環状部材４が所定の位置まで回転されると、第２環状部材４の第１環状部材２に対する回転が阻止され、レンズフィルターに加えられている回転力がレンズフィルターとフィルターアダプタ１との螺合を緩める力として利用されるようになり、レンズフィルターをフィルターアダプタ１から容易に取り外すことができる。同様に、フィルターアダプタ１を、フィルターアダプタ１の第１環状部材２と螺合しているレンズ鏡筒（図示せず）から取り外す場合も、フィルターアダプタ１の第２環状部材４、又は第２環状部材４に取付けられているレンズフード（図示せず）に単に回転力を加えるだけで良い。
【００３１】
本発明の実施形態のフィルターアダプタによれば、レンズフィルターを３６０゜よりも大きい角度回転させることができるので、フィルターの操作性が良い。
また、第２環状部材の第１環状部材に対する回転が所定位置で阻止されるので、螺合されているレンズフィルターを容易に取り外すことができる。さらに、本発明の実施形態のフィルターアダプタによれば、第２環状部材の回転が阻止されるので、レンズフードの収納時にレンズフードをレンズ鏡筒の方に向けて取付け、フィルターアダプタがレンズフードによってほぼ完全に覆われてしまう場合にも、レンズフードをフィルターアダプタに容易に着脱することができる。
【００３２】
以上、本発明の好ましい実施形態を説明したが、上述した実施形態に種々の変更を加えることができる。特に、上述したフィルターアダプタと、偏光フィルター等、回転させることが必要なフィルターを一体にして、レンズフィルターを構成することができる。あるいは、上述したフィルターアダプタとレンズ鏡筒を一体にしてフィルタ回転機構を有するレンズユニットを構成することもできる。さらに、上述したフィルターアダプタの機構を、レンズユニットのズームリング、フォーカスリング等、任意の機器の回り止め機構として応用することができる。
【００３３】
また、上述した実施形態においては、レンズフィルターが取付けられた方の環状部材に移動係合部材が取付けられ、レンズ鏡筒に取付けられる方の環状部材に係合突起が形成されていたが、移動係合部材と係合突起の関係を逆にすることもできる。さらに、上述した実施形態においては、係合突起は、移動係合部材に対して環状部材の半径方向外側に位置しているが、係合突起が移動係合部材よりも半径方向内側に位置するような構成をとることもできる。
【００３４】
さらに、上述した実施形態においては、移動係合部材は環状部材の円周上に１つだけ配置されているが、移動係合部材を環状部材の円周上に複数配置することもできる。図６を参照して、このように構成された、本発明の実施形態によるフィルターアダプタの変形例を説明する。図６に示す変形例においては、２つの移動係合部材１４、１４’が、第２環状部材４の円周上に夫々配置されている点が上述した実施形態とは異なる。まず、２つの移動係合部材１４、１４’が、図６の実線に示す第１位置にある状態において、矢印Ｃの方向に係合突起２２を移動させると、係合突起２２は、１回転移動して元の位置に戻ることができる。係合突起２２が１回転移動して元の位置に戻った状態では、２つの移動係合部材１４、１４’は、夫々破線で示す第２位置に移動している。この状態から、さらに矢印Ｃの方向に係合突起２２を移動させると、係合突起２２は、破線で示す２２’の位置で移動係合部材１４’によって回転が阻止される。従って、係合突起２２を、初期位置から１回転させた後、図６の２２’の位置まで移動させることができる。図６に示す変形例によれば、２つの環状部材の相対的な回転可能範囲を、２つの移動係合部材１４、１４’の配置により任意に設定することができる。
【００３５】
【発明の効果】
本発明によれば、レンズ鏡筒から容易に取り外すことができるフィルターアダプタ、及びレンズフィルターを得ることができる。
また、本発明によれば、取付けたフィルターを回転させることができ、容易に取り外すことができるレンズユニットを得ることができる。
さらに、本発明によれば、３６０゜よりも大きい角度回転させることができる、回り止め機構を得ることができる。
【図面の簡単な説明】
【図１】本発明の実施形態によるフィルターアダプタの全断面図である。
【図２】図１に示すフィルターアダプタのＩＩ−ＩＩ断面図を示す。
【図３】図２に示すフィルターアダプタのＩＩＩ−ＩＩＩ断面図を示す。
【図４】図２に示すフィルターアダプタのＩＶ−ＩＶ断面図を示す。
【図５】本発明の実施形態によるフィルターアダプタの作用を示す図である。
【図６】本発明の実施形態によるフィルターアダプタの変形例を示す図である。
【符号の説明】
１    本発明の実施形態によるフィルターアダプタ
２    第１環状部材
４    第２環状部材
６    外リング部材
８    内リング部材
１０  プレート
１２  ビス
１４  移動係合部材
１６  支軸
１８  ボール
２０  スプリング
２２  係合突起
【図１】
2004264535.tif 000003
【図２】
2004264535.tif 000004
【図３】
2004264535.tif 000005
【図４】
2004264535.tif 000006
【図５】
2004264535.tif 000007
【図６】
2004264535.tif 000008